(57)【特許請求の範囲】
【請求項１】
デジタルデータを受信する複数の受信機と、
前記複数の受信機により受信した複数系統のデジタルデータ受信信号のそれぞれについて、伝送誤りを判定する伝送誤り判定手段と、
前記伝送誤り判定回路により判定した過去の伝送誤りの情報に基づいて、現在の伝送誤りの発生状況を予測する予測手段と、
前記伝送誤り判定回路により、複数系統のうちの少なくとも１つの系統のデジタルデータ受信信号について伝送誤りが無いことを判定した場合、前記伝送誤りの無いことを判定した系統のデジタルデータ受信信号を選択して切り替え、
前記伝送誤り判定回路により、複数系統の全てのデジタルデータ受信信号について伝送誤りがあることを判定した場合、前記予測回路により予測した現在の伝送誤りの発生状況から、伝送誤りが最も少ない系統のデジタルデータ受信信号を選択して切り替える受信信号切替手段と、
を備えたことを特徴とするダイバーシティ受信装置。
【請求項２】
請求項１に記載のダイバーシティ受信装置において、
前記伝送誤り判定手段は、デジタルデータ受信信号に付加されたＣＲＣ（Ｃｙｃｌｉｃ  Ｒｅｄｕｎｄａｎｃｙ  Ｃｈｅｃｋｉｎｇ）を用いて伝送誤りを判定する、
ことを特徴とするダイバーシティ受信装置。
【請求項３】
請求項２に記載のダイバーシティ受信装置において、
前記伝送誤り判定手段は、デジタルデータ受信信号が映像信号の場合に、前記映像信号の１ライン毎に伝送誤りを判定する、
ことを特徴とするダイバーシティ受信装置。
【請求項４】
請求項１から３までのいずれか一項に記載のダイバーシティ受信装置において、
前記予測手段は、伝送誤り判定回路により判定した過去の伝送誤りの情報、及び所定の予測式を用いて、現在の伝送誤り発生回数を系統毎に予測する、
ことを特徴とするダイバーシティ受信装置。
【請求項５】
請求項１から３までのいずれか一項に記載のダイバーシティ受信装置において、
前記予測手段は、伝送誤り判定回路により判定した過去の伝送誤りの情報から伝送誤り発生回数の増減傾向を求め、前記増減傾向から現在の伝送誤り発生回数を系統毎に予測する、
ことを特徴とするダイバーシティ受信装置。
【請求項６】
請求項１から５までのいずれか一項に記載のダイバーシティ受信装置において、
前記複数の受信機により受信した複数系統のデジタルデータ受信信号が、デジタルデータと誤り検出のためのデータとを含む信号である、
ことを特徴とするダイバーシティ受信装置。
【請求項７】
請求項１から５までのいずれか一項に記載のダイバーシティ受信装置において、
前記複数の受信機により受信した複数系統のデジタルデータ受信信号が、ハイビジョンシリアルデジタルインターフェース信号である、
ことを特徴とするダイバーシティ受信装置。
【発明の詳細な説明】
【技術分野】
【０００１】
本発明は、ダイバーシティ受信装置に関し、特に、デジタル信号を伝送する無線伝送装置のダイバーシティ受信装置に関する。
【背景技術】
【０００２】
一般に、映像や音声等のデジタル信号を無線伝送する装置において、回線の信頼性を向上させる方式としてダイバーシティ受信方式が知られている。その一例として、非特許文献１に記載された無線伝送システムがある。この無線伝送システムは、ハイビジョンシリアルデジタルインタフェース（ＨＤ−ＳＤＩ：Ｈｉｇｈ  Ｄｅｆｉｎｉｔｉｏｎ  Ｓｅｒｉａｌ  Ｄｉｇｉｔａｌ  Ｉｎｔｅｒｆａｃｅ）信号を伝送するミリ波の無線伝送装置と、ダイバーシティ受信装置とを組み合わせたシステムである。この種のダイバーシティ受信装置は、特許文献１に記載されているように、複数の受信機が受信した信号に対して伝送誤りを検出し、正しく受信できた受信機の信号を選択して出力するものである。伝送誤りは、ＨＤ−ＳＤＩ信号に付加されているＣＲＣ（Ｃｙｃｌｉｃ  Ｒｅｄｕｎｄａｎｃｙ  Ｃｈｅｃｋｉｎｇ）を用いて検出される。
【０００３】
このようなダイバーシティ受信装置は、基本的には、伝送誤りを検出し、正しく受信できた信号を選択するものであるから、伝送誤りを訂正できないデジタル信号を伝送するシステムにおいても、回線信頼性を向上させることができる。また、このようなダイバーシティ受信装置の機能と、伝送誤りの発生したデータに対して誤り訂正を行う機能とを組み合わせることにより、回線信頼性をさらに向上させることができる。例えば、前述の非特許文献１及び特許文献１に記載されたダイバーシティ受信装置では、多数決判定方式を用いて伝送誤りを訂正することにより、回線信頼性の向上を実現している。
【０００４】
また、伝送誤りが発生したデータに対して誤り訂正を行う機能を備えたダイバーシティ受信装置として、例えば、特許文献２に記載された装置が知られている。このダイバーシティ受信装置は、誤り訂正符号化が行われたデジタル信号の伝送を受けるものであり、受信した複数系統のデジタルストリームに対して伝送誤りを検出し、誤り訂正符号を用いて伝送誤りを訂正する。そして、同期化した複数のデジタルストリームを伝送誤り検出結果に応じてブロック単位で選定することにより、一連のデジタルストリームを合成する。このダイバーシティ受信装置によれば、誤り訂正を行うと共に、ダイバーシティ受信によって伝送特性を改善することができる。
【０００５】
このようなダイバーシティ受信装置は、例えば、視聴者に対して映像を途切れることなく届けることができることから、高い回線信頼性が要求されている放送事業者等によって多く用いられている。
【０００６】
ダイバーシティ受信装置は、非特許文献２に記載されているように、使用する複数の受信機の無線伝送路が同時に悪化することがないという条件下では、無線伝送の回線信頼性が大きく向上する。しかしながら、全ての受信機において、送信されてきたデジタル信号を正しく受信できない場合には、回線信頼性の向上を期待することができない。例えば、特許文献２のダイバーシティ受信装置のように、誤り訂正符号により誤り訂正を行う装置であれば回線信頼性の向上を期待することができるが、特許文献１のダイバーシティ受信装置のように、誤り訂正符号を用いない装置では回線信頼性の向上は期待できない。誤り訂正符号を用いない場合であっても、回線信頼性を向上させるためには、複数の受信機が受信した信号のうち、最も伝送誤りの少ない受信機の信号を正しく選択し、伝送誤りを最小限に抑えることが必要となる。
【０００７】
例えば、特許文献３に記載されたダイバーシティ受信装置は、全ての受信機がデジタル信号を正しく受信できない場合に、過去の伝送誤りの情報を用いることにより、最も伝送誤りの少ない受信機の信号を選択するものである。以下、具体的に説明する。
【０００８】
図４は、従来のダイバーシティ受信装置の構成を示すブロック図であり、デジタル信号を伝送する無線伝送装置の受信機を３台接続して構成する例を示している。この従来のダイバーシティ受信装置１００は、受信機２−１〜２−３、２分配器３−１〜３−３、判定回路７０及び受信信号切替回路８を備えている。
【０００９】
ダイバーシティ受信装置１００は、図４に示すように、判定回路７０が、受信機２−１〜２−３を介して受信し２分配器３−１〜３−３により分配されたデジタル信号をそれぞれ入力し、これらの３系統の入力信号を常に監視して、伝送誤りのない信号であるか、または伝送誤りのある信号であるかを判定する。
【００１０】
判定回路７０は、入力した３系統のデジタル信号のうち、伝送誤りのない信号系統を示す制御信号を受信信号切替回路８に出力する。受信信号切替回路８は、判定回路７０から制御信号を入力し、その制御信号が示す信号系統のデジタル信号に切り替えて出力する。これにより、ダイバーシティ受信装置１００は、伝送誤りのない信号系統のデジタル信号を選択して出力することができる。
【００１１】
一方、受信機２−１〜２−３の全てがデジタル信号を正常に受信できない場合には、判定回路７０は、全ての系統において伝送誤りのない信号が存在しないと判定する。この場合、判定回路７０は、過去の伝送誤りの情報をそのまま用いて、最も伝送誤りの少ない信号系統を示す制御信号を特定し受信信号切替回路８に出力する。受信信号切替回路８は、判定回路７０から制御信号を入力し、その制御信号が示す信号系統のデジタル信号に切り替えて出力する。これにより、ダイバーシティ受信装置１００は、最も伝送誤りの少ない系統のデジタル信号を選択して出力することができる。
【００１２】
【非特許文献１】中野秀之，泉本貴広，岡部聡，鴨田浩和、「日本陸上選手権の中継制作〜ハイビジョンワイヤレス空中走行カメラの活用〜」、放送技術、兼六館出版株式会社、２００５年９月号、ｐ．１１７−ｐ．１２０
【非特許文献２】鴨田浩和，岡部聡，泉本貴広、「６０ＧＨｚ帯非圧縮ハイビジョン無線伝送システム」、映像情報メディア学会誌、２００７年１月号、ｖｏｌ.６１  Ｎｏ．１  ｐ．３１−ｐ．３５
【特許文献１】特開２００７−２８０９５号公報
【特許文献２】特開２００５−１２４５２号公報
【特許文献３】特開２００７−１５８９３７号公報
【発明の開示】
【発明が解決しようとする課題】
【００１３】
しかしながら、図４に示した従来のダイバーシティ受信装置１００では、過去の伝送誤りの情報をそのまま用いることにより、受信機２−１〜２−３からのデジタル信号を選択することから、伝送誤りの最も少ないデジタル信号を正しく選択することができない場合がある。
【００１４】
図５は、従来の処理（過去の伝送誤りの情報をそのまま用いてデジタル信号を選択する処理）を説明する図である。ここで、ダイバーシティ受信装置１００の判定回路７０が、受信機２−１〜２−３からのデジタル信号（受信機２−１〜２−３受信信号）を、時間Ｔ１，Ｔ２，Ｔ３の時系列で入力するものとする。入力する受信信号は、データ及びパリティにより構成されている。
【００１５】
判定回路７０は、時間Ｔ１において、受信機２−１受信信号が伝送誤りのない信号であり、受信機２−２，２−３受信信号が伝送誤りのある信号であると判定し、その判定結果をメモリに記憶する。また、時間Ｔ２において、全ての受信機２−１〜２−３受信信号が伝送誤りのある信号であると判定し、その判定結果をメモリに記憶する。同様に、時間Ｔ３において、受信機２−２受信信号が伝送誤りのない信号であり、受信機２−１，２−３受信信号が伝送誤りのある信号であると判定し、その判定結果をメモリに記憶する。
【００１６】
ここで、判定回路７０は、時間Ｔ１において、伝送誤りのない受信機２−１の信号系統示す制御信号を受信信号切替回路８に出力し、時間Ｔ３において、伝送誤りのない受信機２−２の信号系統を示す制御信号を受信信号切替回路８に出力する。これに対し、時間Ｔ２においては、伝送誤りのない信号系統が存在しないから、伝送誤りのない信号系統を示す制御信号を出力することができない。
【００１７】
そこで、判定回路７０は、時間Ｔ２において、時間Ｔ２に最も近い過去の伝送誤りの情報である、時間Ｔ１における伝送誤りの情報をメモリから読み出し、その情報をそのまま用いて制御信号を出力する。すなわち、時間Ｔ１における伝送誤りの情報は、受信機２−１受信信号が伝送誤りのない信号であり、受信機２−２，２−３受信信号が伝送誤りのある信号であることを示している。したがって、判定回路７０は、時間Ｔ２において、伝送誤りが最も少ない信号系統が受信機２−１の信号系統であると推定し、その信号系統を示す制御信号を受信信号切替回路８に出力する。
【００１８】
図６は、図５における従来の処理の説明を補充する図である。図６において、左側の図は受信機２−１系統の伝送誤り発生回数のグラフを、中央の図は受信機２−２系統の伝送誤り発生回数のグラフを、右側の図は受信機２−３系統の伝送誤り発生回数のグラフをそれぞれ示している。受信機２−１系統では、時間の経過と共に伝送誤り発生回数が増加傾向にあり、受信機２−２系統では減少傾向にあり、受信機２−３系統では横ばいの傾向にあるものとする。
【００１９】
このような伝送誤りの発生状況では、判定回路７０は、図５において、時間Ｔ１では受信機２−１受信信号が伝送誤りのない信号であると判定したが、図６に示すように、受信機２−１受信信号の伝送誤り発生回数は増加しているから、時間Ｔ２においては、受信機２−１受信信号が最も伝送誤りの少ない信号であるとは限らない。実際は、受信機２−２受信信号が最も伝送誤りの少ない信号であるから、判定回路７０は、時間Ｔ２において、受信機２−１受信信号ではなく受信機２−２受信信号が、最も伝送誤りの少ない信号であると推定することが必要となる。
【００２０】
このように、図４に示した従来のダイバーシティ受信装置１００では、過去の伝送誤りの情報をそのまま用いていたから、最も伝送誤りの少ない受信機２−１〜２−３からのデジタル信号を正しく選択することができない場合があるという問題があった。
【００２１】
そこで、前記課題を解決するため、本発明の目的は、複数系統の受信信号から１つの信号を選択して出力するダイバーシティ受信装置において、伝送誤りの最も少ない受信機からの信号を一層正しく選択し、伝送特性を改善可能なダイバーシティ受信機を提供することにある。
【課題を解決するための手段】
【００２２】
前記課題を解決するため、本発明による請求項１のダイバーシティ受信装置は、デジタルデータを受信する複数の受信機と、前記複数の受信機により受信した複数系統のデジタルデータ受信信号のそれぞれについて、伝送誤りを判定する伝送誤り判定手段と、前記伝送誤り判定回路により判定した過去の伝送誤りの情報に基づいて、現在の伝送誤りの発生状況を予測する予測手段と、前記伝送誤り判定回路により、複数系統のうちの少なくとも１つの系統のデジタルデータ受信信号について伝送誤りが無いことを判定した場合、前記伝送誤りの無いことを判定した系統のデジタルデータ受信信号を選択して切り替え、前記伝送誤り判定回路により、複数系統の全てのデジタルデータ受信信号について伝送誤りがあることを判定した場合、前記予測回路により予測した現在の伝送誤りの発生状況から、伝送誤りが最も少ない系統のデジタルデータ受信信号を選択して切り替える受信信号切替手段と、を備えたことを特徴とする。
【００２３】
また、本発明による請求項２のダイバーシティ受信装置は、請求項１に記載のダイバーシティ受信装置において、前記伝送誤り判定手段が、デジタルデータ受信信号に付加されたＣＲＣを用いて伝送誤りを判定する、ことを特徴とする。
【００２４】
また、本発明による請求項３のダイバーシティ受信装置は、請求項２に記載のダイバーシティ受信装置において、前記伝送誤り判定手段が、デジタルデータ受信信号が映像信号の場合に、前記映像信号の１ライン毎に伝送誤りを判定する、ことを特徴とする。
【００２５】
また、本発明による請求項４のダイバーシティ受信装置は、請求項１から３までのいずれか一項に記載のダイバーシティ受信装置において、前記予測手段が、伝送誤り判定回路により判定した過去の伝送誤りの情報、及び所定の予測式を用いて、現在の伝送誤り発生回数を系統毎に予測する、ことを特徴とする。
【００２６】
また、本発明による請求項５のダイバーシティ受信装置は、請求項１から３までのいずれか一項に記載のダイバーシティ受信装置において、前記予測手段が、伝送誤り判定回路により判定した過去の伝送誤りの情報から伝送誤り発生回数の増減傾向を求め、前記増減傾向から現在の伝送誤り発生回数を系統毎に予測する、ことを特徴とする。
【００２７】
また、本発明による請求項６のダイバーシティ受信装置は、請求項１から５までのいずれか一項に記載のダイバーシティ受信装置において、前記複数の受信機により受信した複数系統のデジタルデータ受信信号が、デジタルデータと誤り検出のためのデータとを含む信号である、ことを特徴とする。
【００２８】
また、本発明による請求項７のダイバーシティ受信装置は、請求項１から５までのいずれか一項に記載のダイバーシティ受信装置において、前記複数の受信機により受信した複数系統のデジタルデータ受信信号が、ハイビジョンシリアルデジタルインターフェース信号である、ことを特徴とする。
【発明の効果】
【００２９】
以上のように、本発明によれば、複数系統の受信信号から１つの受信信号を選択して出力するダイバーシティ受信装置において、過去の伝送誤りの情報に基づいて、現在の伝送誤りの発生状況を予測するようにした。そして、複数系統の全ての受信信号について伝送誤りがあることを判定した場合、現在の伝送誤りの発生状況から、伝送誤りが最も少ない系統のデジタルデータ受信信号を選択する。これにより、ダイバーシティ受信装置により選択して出力される受信信号は、過去の伝送誤りの情報から予測した発生状況に基づくものとなる。したがって、過去の伝送誤りの情報をそのまま用いて受信信号を選択していた従来とは異なり、伝送誤りの最も少ない受信機からの信号を一層正しく選択することができ、伝送特性を改善することが可能となる。
【発明を実施するための最良の形態】
【００３０】
以下、本発明を実施するための最良の形態について図面を用いて詳細に説明する。
〔ダイバーシティ受信装置〕
まず、ダイバーシティ受信装置の全体構成について説明する。図１は、本発明の実施形態によるダイバーシティ受信装置の全体構成を示すブロック図であり、デジタル信号を伝送する無線伝送装置の受信機を３台接続して構成する例を示している。このダイバーシティ受信装置１は、受信機（受信手段）２−１〜２−３、２分配器（２分配手段）３−１〜３−３、伝送誤り判定回路（伝送誤り判定手段）４−１〜４−３、カウンター（カウンター手段）５−１〜５−３、予測回路（予測手段）６、制御回路（制御手段）７及び受信信号切替回路（受信信号切替手段）８を備えている。
【００３１】
ダイバーシティ受信装置１は、図１に示すように、通常は３台の受信機２−１〜２−３を備えており、伝送誤り判定回路４−１〜４−３が、これらの受信機２−１〜２−３を介して受信したデジタル信号をそれぞれ入力し、これらの３系統の入力信号を常に監視して、伝送誤りのない信号であるか、または伝送誤りのある信号であるかを判定する。そして、受信信号切替回路８が、３系統の入力信号のうち、伝送誤りのない信号を選択する。これにより、ダイバーシティ受信装置１は、伝送誤りのない信号を出力することができる。
【００３２】
しかしながら、受信機２−１〜２−３の全てがデジタル信号をそれぞれ正常に受信できない場合には、伝送誤り判定回路４−１〜４−３は、全ての系統において伝送誤りのない信号が存在しないと判定する。そして、受信信号切替回路８は、伝送誤りのない信号を選択することができず、結果として、ダイバーシティ受信装置１は、伝送誤りのない信号を出力することができない。
【００３３】
そこで、本発明の実施形態によるダイバーシティ受信装置１は、全ての系統において伝送誤りのない信号が存在しない場合、各受信機２−１〜２−３が受信したデジタル信号についての過去の伝送誤りの発生状況に基づいて、伝送誤りの発生が最も少ないであろう系統の信号を予測し、その予測した系統の信号を選択する。これにより、ダイバーシティ受信装置１は、伝送誤りのある信号の中から、伝送誤りの発生が最も少ないと予測される信頼性の高い信号を出力することができ、伝送特性を改善することができる。
【００３４】
以下、ダイバーシティ受信装置１について、図１を参照して具体的に説明する。尚、受信機２−１〜２−３はＨＤ−ＳＤＩ信号を受信するものとし、受信したデジタル信号がハイビジョン映像信号Ｓ１−１〜Ｓ１−３であるものとして説明する。
【００３５】
２分配器３−１〜３−３は、受信機２−１〜２−３を介して受信したハイビジョン映像信号Ｓ１−１〜Ｓ１−３を２つの信号にそれぞれ分配し、一方を受信信号切替回路８に出力し、他方を伝送誤り判定回路４−１〜４−３にそれぞれ出力する。
【００３６】
伝送誤り判定回路４−１〜４−３は、２分配器３−１〜３−３から３系統のハイビジョン映像信号Ｓ１−１〜Ｓ１−３をそれぞれ入力し、そのハイビジョン映像信号Ｓ１−１〜Ｓ１−３の１ライン毎に付加されているＣＲＣを用いて、入力したハイビジョン映像信号Ｓ１−１〜Ｓ１−３が伝送誤りのある信号であるか否かを判定する。そして、判定結果の情報である伝送誤り発生有無信号Ｓ２−１〜Ｓ２−３を制御回路７に出力すると共に、カウンター５−１〜５−３にそれぞれ出力する。この伝送誤り発生有無信号Ｓ２−１〜Ｓ２−３は、伝送誤り判定回路４−１〜４−３によって、デジタル信号（ハイビジョン映像信号）Ｓ１−１〜Ｓ１−３の１ライン毎に更新され出力される。
【００３７】
カウンター５−１〜５−３は、伝送誤り判定回路４−１〜４−３から伝送誤り発生有無信号Ｓ２−１〜Ｓ２−３をそれぞれ入力し、伝送誤り発生有無信号Ｓ２−１〜Ｓ２−３が示す伝送誤り発生有を、予め設定された期間カウントし、そのカウント値を伝送誤り発生回数信号Ｓ３−１〜Ｓ３−３として予測回路６に出力する。予め設定された期間とは、例えば、ハイビジョン映像の１０ライン分、ハイビジョン映像の１００ライン分、またはハイビジョン映像の１フレーム分（ハイビジョン映像の１１２５ライン分）の期間である。つまり、伝送誤り判定回路４−１〜４−３がハイビジョン映像信号Ｓ１−１〜Ｓ１−３の１ライン毎に伝送誤り有無信号Ｓ２−１〜Ｓ２−３を出力するから、カウンター５−１〜５−３は、そのライン毎に、例えば、予め設定された期間がハイビジョン映像の１フレーム分の期間である場合、１１２５個の伝送誤り有無信号Ｓ２−１〜Ｓ２−３について伝送誤り発生有の個数をカウントする。カウンター５−１〜５−３により出力される伝送誤り発生回数信号Ｓ３−１〜Ｓ３−３は、現在のラインから遡って予め設定された期間までの間のカウント値を含む信号であり、入力される伝送誤り発生有無信号Ｓ２−１〜Ｓ２−３のタイミングである１ライン毎に更新される。
【００３８】
予測回路６は、カウンター５−１〜５−３から、予め設定された期間のカウント値を含む伝送誤り発生回数信号Ｓ３−１〜Ｓ３−３を系統毎かつライン毎に入力し、格納しておいた過去の伝送誤り発生回数に基づいて、現時間における伝送誤り発生回数を予測し、その予測値を含む伝送誤り発生状況信号Ｓ６を制御回路７に出力する。この伝送誤り発生状況信号Ｓ６は、３つの系統の予測値を含む信号である。
【００３９】
具体的には、予測回路６は、カウンター５−１〜５−３から、時間Ｔの伝送誤り発生回数信号Ｓ３−１〜Ｓ３−３を入力し、系統毎に時間Ｔの伝送誤り発生回数をメモリに格納する。そして、時間Ｔ−１以前の伝送誤り発生回数をメモリから系統毎に読み出し、これらの伝送誤り発生回数に基づいて、現時間Ｔの伝送誤り発生回数を系統毎に予測する。
【００４０】
図２は、予測回路６の処理を説明する図である。図２において、左側の図は受信機２−１系統の伝送誤り発生回数のグラフを、中央の図は受信機２−２系統の伝送誤り発生回数のグラフを、右側の図は受信機２−３系統の伝送誤り発生回数のグラフをそれぞれ示している。予測回路６は、過去の伝送誤り発生回数として、系統毎に、時間Ｔ−１の伝送誤り発生回数、時間Ｔ−２の伝送誤り発生回数等をメモリに格納している。
【００４１】
この状態で、予測回路６は、カウンター５−１から、受信機２−１系統における次の時間（現時間Ｔ）の伝送誤り発生回数信号Ｓ３−１を入力し、現時間Ｔの伝送誤り発生回数をメモリに格納する。そして、受信機２−１系統における時間Ｔ−１の伝送誤り発生回数等（過去の伝送誤り発生回数）をメモリから読み出し、これらの伝送誤り発生回数に基づいて、受信機２−１系統における現時間Ｔの伝送誤り発生回数を予測する。
【００４２】
同様に、予測回路６は、カウンター５−２から、受信機２−２系統における次の時間（現時間Ｔ）の伝送誤り発生回数信号Ｓ３−２を入力し、現時間Ｔの伝送誤り発生回数をメモリに格納する。また、受信機２−２系統における時間Ｔ−１の伝送誤り発生回数等（過去の伝送誤り発生回数）をメモリから読み出し、これらの伝送誤り発生回数に基づいて、受信機２−２系統における現時間Ｔの伝送誤り発生回数を予測する。同様に、予測回路６は、受信機２−３系統における現時間Ｔの伝送誤り発生回数についても予測する。
【００４３】
図２に示すように、現時間Ｔの伝送誤り発生回数は、時間Ｔ−２の伝送誤り発生回数と時間Ｔ−１の伝送誤り発生回数とを直線で結び、その延長線上の回数として予測されている。この場合、予測回路６は、１次関数の予測式を用いて現時間Ｔの伝送誤り発生回数を予測している。
【００４４】
以下、１次関数の予測式を用いた伝送誤り発生回数の予測手法について詳細に説明する。図３（１）は、伝送誤り発生回数を示す図である。予測回路６は、図３（１）に示すように、時間Ｔ−１の伝送誤り発生回数及び時間Ｔ−２の伝送誤り発生回数を、受信機２−１〜２−３系統毎にメモリに格納している。この状態で、時間Ｔの伝送誤り発生回数Ｙは、（１）式に示す１次関数の予測式により求めることができる。
Ｙ＝ａ・Ｔ＋ｂ          ・・・  （１）
ここで、ａ及びｂは、時間Ｔ−１の伝送誤り発生回数及び時間Ｔ−２の伝送誤り発生回数から求められる定数である。
【００４５】
予測回路６は、図３（１）に示した受信機２−１系統における時間Ｔ−１の伝送誤り発生回数及び時間Ｔ−２の伝送誤り発生回数から、（２）式及び（３）式により、定数ａ＝１０，ｂ＝６０を求める。
４０＝ａ・（Ｔ−２）＋ｂ          ・・・  （２）
５０＝ａ・（Ｔ−１）＋ｂ          ・・・  （３）
【００４６】
同様にして、予測回路６は、受信機２−２系統及び受信機２−３系統についても定数ａ，ｂを定め、（１）式によりＴ＝０を代入して、各系統における伝送誤り発生回数を予測する。図３（２）は、時間Ｔにおける伝送誤り発生回数の予測値を示す図である。このように、予測回路６は、各系統における伝送誤り発生回数の予測値を含む伝送誤り発生状況信号Ｓ６を、制御回路７に出力する。
【００４７】
図１に戻って、制御回路７は、伝送誤り判定回路４−１〜４−３から系統毎の伝送誤り発生有無信号Ｓ２−１〜Ｓ２−３を入力し、予測回路６から系統毎の予測値を含む伝送誤り発生状況信号Ｓ６を入力する。そして、制御回路７は、入力した伝送誤り発生有無信号Ｓ２−１〜２−３に伝送誤りのないことを示す信号を含む場合、その系統のハイビジョン映像信号を選択することを示す制御信号Ｓ４を受信信号切替回路８に出力する。伝送誤りのないことを示す信号が複数存在する場合は、それらの信号系統のうちの任意の一つの系統のハイビジョン映像信号を選択することを示す制御信号を、受信信号切替回路８に出力する。
【００４８】
一方、制御回路７は、入力した伝送誤り発生有無信号Ｓ２−１〜Ｓ２−３の全てが伝送誤りのあることを示す信号である場合、入力した伝送誤り発生状況信号Ｓ６が示す系統毎の予測値から、最も小さい予測値の系統を特定し、その系統のハイビジョン映像信号を選択することを示す制御信号Ｓ４を受信信号切替回路８に出力する。図３（２）の例では、受信機２−２系統の予測値が最も小さいから、受信機２−２系統のハイビジョン映像信号を選択することを示す制御信号Ｓ４が、受信信号切替回路８に出力される。
【００４９】
尚、複数の系統における予測値が同一の場合、予測回路６は、例えば、時間Ｔ−２の伝送誤り発生回数から時間Ｔ−１の伝送誤り発生回数への変化量に基づいて、伝送誤り発生回数の減少傾向にある系統を特定し、各系統における伝送誤り発生回数の予測値と共に、その系統を特定する情報を含む伝送誤り発生状況信号Ｓ６を、制御回路７に出力する。そして、制御回路７は、伝送誤り発生状況信号Ｓ６が示す系統の情報に基づいて、同一の予測値をもつ複数の系統から１つの系統を特定し、その系統のハイビジョン映像信号を選択することを示す制御信号Ｓ４を受信信号切替回路８に出力する。
【００５０】
受信信号切替回路８は、２分配器３−１〜３−３から３系統のハイビジョン映像信号Ｓ１−１〜Ｓ１−３を入力し、制御回路７から制御信号Ｓ４を入力し、３系統のハイビジョン映像信号Ｓ１−１〜Ｓ１−３の中から、制御信号Ｓ４が示す系統の信号を選択し、その信号に切り替える。そして、その信号（ハイビジョン映像信号Ｓ５）を、伝送誤りのない信号または伝送誤りの最も少ない信号として出力する。前述のように、受信機２−１〜２−３がＨＤ−ＳＤＩ信号を受信する場合、受信信号切替回路８は、ハイビジョン映像信号Ｓ１−１〜Ｓ１−３の１ライン毎に、伝送誤りのない信号または伝送誤りの最も少ない信号を出力するための切り替え処理を行う。つまり、受信信号切替回路８により出力されるハイビジョン映像信号Ｓ５は、ハイビジョン映像信号Ｓ１−１〜Ｓ１−３の１ライン毎に更新される。
【００５１】
以上のように、本発明の実施形態によるダイバーシティ受信装置１によれば、伝送誤り判定回路４−１〜４−３が、ハイビジョン映像信号Ｓ１−１〜Ｓ１−３のＣＲＣを用いて、系統毎のハイビジョン映像信号Ｓ１−１〜Ｓ１−３が伝送誤りのある信号であるか否かを判定し、予測回路６が、系統毎に、過去の伝送誤り発生回数に基づいて、現時間Ｔの伝送誤り発生回数を予測する。そして、伝送誤り判定回路４−１〜４−３により、全系統のうち１系統でも伝送誤りのない系統が存在すると判定された場合、制御回路７が、その伝送誤りのないハイビジョン映像信号Ｓ１−１〜Ｓ１−３に切り替えることを示す制御信号Ｓ４を出力し、受信信号切替回路８が、その制御信号Ｓ４により、伝送誤りのない系統のハイビジョン映像信号Ｓ５を出力するようにした。一方、伝送誤り判定回路４−１〜４−３により、伝送誤りのない系統が存在しないと判定された場合、制御回路７が、予測回路６から入力する伝送誤り発生回数の予測値から、最も小さい予測値を有する系統のハイビジョン映像信号Ｓ１−１〜Ｓ１−３に切り替えることを示す制御信号Ｓ４を出力し、受信信号切替回路８が、その制御信号Ｓ４により、伝送誤りの最も少ない系統のハイビジョン映像信号Ｓ５を出力するようにした。これにより、伝送誤りのない系統が存在しない場合には、過去の伝送誤り発生回数の増減傾向を考慮して、現在の伝送誤り発生回数を予測し、その予測値によって受信機２−１〜２−３からの信号を切り替えるようにしたから、伝送誤りの最も少ない信号を正しく選択することができる。従来は、過去の伝送誤り発生回数をそのまま用いて、その増減傾向を考慮することなく受信機２−１〜２−３からの信号を切り替えていた。本発明の実施形態では、過去の伝送誤りの発生回数の増減傾向を考慮しているから、伝送誤りの最も少ない信号を一層正しく選択することができ、従来よりも伝送特性を改善することが可能となる。
【００５２】
尚、本発明の実施形態によるダイバーシティ受信装置１では、伝送誤り判定回路４−１〜４−３が、ＨＤ−ＳＤＩ信号であるハイビジョン映像信号Ｓ１−１〜Ｓ１−３の１ライン毎に付加されているＣＲＣを用いて伝送誤りを判定するようにしたから、系統毎の伝送誤りの有無について判定することができる。しかし、ＣＲＣからは、伝送誤りの個数を判定することができない。また、カウンター５−１〜５−３が、伝送誤り判定回路４−１〜４−３により判定された１ライン毎の伝送誤り有りの信号をカウントするようにしたから、例えば、過去１フレームの期間中に何ラインの伝送誤りが生じたかを求めることができる。しかし、１ライン毎の伝送誤り有りの信号からは、何ビットの伝送誤りが生じたかを求めることができない。
【００５３】
ところで、本発明の実施形態によるダイバーシティ受信装置１が受信するデジタル信号の特性から、カウンター５−１〜５−３により求めることができる伝送誤りの生じたライン数と、伝送誤り判定回路４−１〜４−３により求めることができない伝送誤りの個数とは比例関係にあるといえる。このため、予測回路６により予測された予測値は、伝送誤りの生じたライン数に基づいて算出された値であるが、この予測値は伝送誤りの個数に基づいて算出された値に比例しているといえる。伝送特性を効果的に改善するには、伝送誤りの個数に基づいた情報を考慮することが必要であるから、予測回路６により予測された予測値は、伝送誤りの個数に比例しているといえる点で、伝送特性を改善するために十分に機能する値であると考えられる。したがって、本発明の実施形態によるダイバーシティ受信装置１によれば、伝送誤りの最も少ない信号を一層正しく選択することができ、従来よりも伝送特性を改善することが可能となる。
【００５４】
以上、実施形態を挙げて本発明を説明したが、本発明は前記実施形態に限定されるものではなく、その技術思想を逸脱しない範囲で種々変形可能である。前記実施形態では、３台の受信機２−１〜２−３を例として説明したが、２台であっても４台以上であっても前記実施形態と同じ動作が可能であり、本発明を適用することができる。
【００５５】
また、前記実施形態では、予測回路６は、（１）式に示した１次関数の予測式を用い、現時間の伝送誤り発生回数を予測しているが、本発明は１次関数の予測式を用いることに限定されるものではなく、例えば、２次関数、３次関数、その他の予測関数の予測式を用いて予測するようにしてもよい。また、その予測式は予め設定されているが、メモリに格納されている過去の伝送誤り発生回数の変化に基づいて、予測式を設定するようにしてもよい。例えば、過去の伝送誤り発生回数の変化が１次的に変化していると判定した場合は１次関数の予測式を用い、２次的に変化していると判定した場合は２次関数の予測式を用いて、現時間の伝送誤り発生回数を予測する。
【００５６】
また、前記実施形態では、受信機２−１〜２−３がＨＤ−ＳＤＩ信号を受信するものとし、受信したデジタル信号をハイビジョン映像信号Ｓ１−１〜Ｓ１−３として説明したが、本発明はこれに限定されるものではなく、デジタルデータと誤り検出のためのデータが時系列で並べられたシリアル信号であればよい。
【図面の簡単な説明】
【００５７】
【図１】本発明の実施形態によるダイバーシティ受信装置の全体構成を示すブロック図である。
【図２】予測回路の処理を説明する図である。
【図３】（１）は伝送誤り発生回数を示す図であり、（２）は伝送誤り発生回数の予測値を示す図である。
【図４】従来のダイバーシティ受信装置の構成を示すブロック図である。
【図５】従来の処理（過去の伝送誤りの情報をそのまま用いてデジタル信号を選択する処理）を説明する図である。
【図６】図５における従来の処理の説明を補充する図である。
【符号の説明】
【００５８】
１，１００  ダイバーシティ受信装置
２  受信機
３  ２分配器
４  伝送誤り判定回路
５  カウンター
６  予測回路
７  制御回路
８  受信信号切替回路
７０  判定回路
【図１】
0004820387.tif 000002
【図２】
0004820387.tif 000003
【図３】
0004820387.tif 000004
【図４】
0004820387.tif 000005
【図５】
0004820387.tif 000006
【図６】
0004820387.tif 000007